(57)【特許請求の範囲】
【請求項１】
環状部品から筒状体の自由端が延びてバッグを形成する、前記環状部品を有するタイプのバッグユニットと使用するための廃棄物処理デバイスであって、
容器であって、前記容器の内部キャビティにアクセスするための開放上端部と、前記開放上端部に隣接し、前記容器の中央開口部を通過することにより、前記容器の内部キャビティに延びる前記バッグユニットの前記バッグに受け入れられる廃棄物のための前記バッグユニットの前記環状部品を支持するようになっている、前記容器内の支持体とを有し、前記容器は、当接面を更に有する、前記容器と、
閉鎖機構であって、少なくとも１つのピボットによって前記支持体に枢動可能に接続されるドアを備え、前記環状部品が前記支持体に受け入れられるとき、及び前記容器の底部が地上にあるとき、前記少なくとも１つのピボットのピボット軸は、前記バッグユニットの前記環状部品の環状底面によって規定された平面の上方に配置され、前記ドアは、前記ドアが前記当接面に向かって前記バッグを押圧して前記バッグを閉じる閉位置と、前記ドアが当接面から離れて前記バッグを開ける開位置との間で枢動可能である、前記閉鎖機構と、
を備えることを特徴とする廃棄物処理デバイス。
【請求項２】
前記支持体は、前記バッグユニットの前記環状部品を支持するリング体を有する、請求項１に記載の廃棄物処理デバイス。
【請求項３】
前記リング体は、前記バッグユニットの前記環状部品を受け入れるための環状キャビティを規定する、請求項２に記載の廃棄物処理デバイス。
【請求項４】
前記リング体は、前記バッグユニットが前記支持体にある場合、前記バッグユニットの前記環状部品の前記中央開口部内に位置する内側環状壁を有する、請求項２及び３のいずれかに記載の廃棄物処理デバイス。
【請求項５】
前記少なくとも１つのピボットは、前記内側環状壁に接続された部分を有する、請求項４に記載の廃棄物処理デバイス。
【請求項６】
前記当接面が前記支持体の一部である、請求項１〜５のいずれかに記載の廃棄物処理デバイス。
【請求項７】
前記当接面は、前記容器の垂直軸に対して傾斜しており、前記閉位置において前記ドアによって押圧される前記バッグのための接触面を構成する、請求項６に記載の廃棄物処理デバイス。
【請求項８】
前記少なくとも１つのピボットは、前記中央開口部の鉛直な環状突出部の内側に位置する、請求項１〜７のいずれかに記載の廃棄物処理デバイス。
【請求項９】
前記ピボット軸は、前記環状部品の最上縁部と同じ高さに配置されるかそれよりも低く配置され、前記最上縁部は、前記環状底面の反対側に配置されている、請求項１〜８のいずれかに記載の廃棄物処理デバイス。
【請求項１０】
前記ドアと前記容器の間に前記ドアを前記閉位置に付勢する付勢部品を更に備える、請求項１〜９のいずれかに記載の廃棄物処理デバイス。
【請求項１１】
前記開放上端部を選択的に閉じる蓋を更に備える、請求項１〜１０のいずれかに記載の廃棄物処理デバイス。
【請求項１２】
前記蓋が枢動可能に接続された環状ファンネルを更に備え、前記環状ファンネルは前記支持体に位置決めされた前記環状部品を覆う、請求項１１に記載の廃棄物処理デバイス。
【請求項１３】
前記ドアは湾曲している、請求項１〜１２のいずれかに記載の廃棄物処理デバイス。
【請求項１４】
前記ドアの湾曲部は、前記中央開口部の曲率半径と同じ側に半径中心を有する、請求項１に記載の廃棄物処理デバイス。
【請求項１５】
前記ドアの前記半径中心は前記中央開口部内にある、請求項１４に記載の廃棄物処理デバイス。
【発明の詳細な説明】
【技術分野】
【０００１】
本出願は、フィルム分配ユニットを支持する容器又は円筒容器によって形成されるタイプの廃棄物処理デバイスに関し、この筒状体分配ユニットは、悪臭廃棄物を受け入れて隠すために閉端筒状体又はバッグを容器に供給する。
【０００２】
[関連出願]
本出願は、米国仮特許出願番号６１／６０６,６０４に対する優先権を主張し、その開示内容は参照によって本明細書に組み込まれる。
【背景技術】
【０００３】
多くの理由から、筒状体分配ユニット又は詰め替え品を有する廃棄物処理システムが一般に使用されている。１つの理由は、当該システムは、筒状体分配ユニットから供給される筒状体が形成するバッグを閉鎖する機構を備える場合が多く、これによってバッグの中に悪臭を閉じ込める点にある。
【発明の概要】
【０００４】
従って、本開示の目的は、新規な廃棄物処理デバイスを提供することにある。
【０００５】
本開示の別の目的は、従来技術に関連した問題に対処した筒状体分配ユニットのための廃棄物処理デバイスを提供することである。
【０００６】
従って、本出願の第１の実施例によれば、環状部品から筒状体の自由端が延びてバッグを形成する、環状部品を有するタイプのバッグユニットと使用するための廃棄物処理デバイスであって、廃棄物処理デバイスは、容器と閉鎖機構とを備え、容器は、内部キャビティにアクセスするための開放上端部と、開放上端部に隣接し、且つ中央開口部を通過することにより容器の内部キャビティに延びるバッグユニットのバッグに受け入れられる廃棄物のためのバッグユニットの環状部品を支持するように構成された容器内の支持部とを有し、閉鎖機構は、支持体に少なくとも１つのピボットによって枢動可能に接続されたドアと、容器内の当接面とを備え、環状部品が支持体に受け入れられる場合、及び容器の底部が地上にある場合、少なくとも１つのピボットのピボット軸は、バッグユニットの環状部品の最下部と同じ高さか又はそれ以上の高さに配置され、ドアは、ドアが当接面に向かってバッグを押圧してバッグを閉じる閉位置と、ドアが当接面から離れてバッグを開ける開位置との間で枢動可能である。
【０００７】
更に本開示によれば、支持体は、バッグユニットの環状部品を支持するためのリング体を有する。
【０００８】
更に本開示によれば、リング体は、バッグユニットの環状部品を受け入れるための環状キャビティを規定する。
【０００９】
更に本開示によれば、リング体は、バッグユニットが支持体にある場合、バッグユニットの環状部品の中央開口部内に位置する内側環状壁を有する。
【００１０】
更に本開示によれば、少なくとも１つのピボットは、内側環状壁に接続された部分を有する。
【００１１】
更に本開示によれば、当接面は支持体の一部である。
【００１２】
更に本開示によれば、当接面は、容器の垂直軸に対して傾斜しており、閉位置においてドアによって押圧されるバッグのための接触面を規定するようになっている。
【００１３】
更に本開示によれば、少なくとも１つのピボットは、中央開口部の鉛直な環状突出部の内側に位置する。
【００１４】
更に本開示によれば、ピボット軸は、環状部品の最上縁部と同じ高さか又はそれよりも低い。
【００１５】
更に本開示によれば、ドアを閉位置に付勢するための付勢部品をドアと容器の間に備える。
【００１６】
更に本開示によれば、開放上端部を選択的に閉じる蓋を更に備える。
【００１７】
更に本開示によれば、蓋が枢動可能に接続された環状ファンネル（漏斗状部）を備え、環状ファンネルは支持体に位置する環状部品を覆う。
【００１８】
更に本開示によれば、ドアは湾曲している。
【００１９】
更に本開示によれば、ドアの湾曲部は、中央開口部の曲率半径と同じ側に半径中心を有する。
【００２０】
更に本開示によれば、ドアの半径中心は、中央開口部内にある。
【図面の簡単な説明】
【００２１】
【図１】本開示の実施例による廃棄物処理デバイスの斜視図である。
【図２】図１の廃棄物処理デバイスの正面図である。
【図３】図１の廃棄物処理デバイスの側面図である。
【図４】図１の廃棄物処理デバイスの平面図である。
【図５】蓋を開けた状態の図１の廃棄物処理デバイスの切欠き斜視図である。
【図６】ドアが閉位置にある図１の廃棄物処理デバイスの断面図である。
【図７】ドアが開位置にある図１の廃棄物処理デバイスの断面図である。
【図８】図７の廃棄物処理デバイスの平面図である。
【発明を実施するための形態】
【００２２】
図面、特に図１から３を参照すると、本開示の実施例による廃棄物処理デバイス１０が示されている。廃棄物処理デバイス１０は、廃棄物を収納するための容器１１を有するタイプである。
【００２３】
容器１１は、廃棄物を収納するための内部キャビティを規定する。容器１１の内部キャビティの下部は、廃棄物を投棄できるバッグを受け入れる。いかなる適当な廃棄物を容器１１に投棄することができるが、廃棄物処理デバイス１０は、おむつ、ペットのゴミ、他の悪臭を放つ廃棄物に対して効果的に使用することができる。
【００２４】
容器１１の内部には開放上端部からアクセスできる。容器１１の開放上端部は、異なるカバーデバイス、すなわち蓋１２及びファンネル１３で覆うこと及び／又は閉じることができる。開放上端部は、正方形、長方形、楕円、円形等の適当な形状とすることができる。１つの実施例において、蓋１２は、ファンネル１３の縁部に枢動可能に接続され、ファンネル１３は、容器１１の開放上端部に取り外し可能に固定されている。
【００２５】
ファンネル１３は、図６及び７から理解できるように、容器１１の開放上端部に取り外し可能に接続された構造縁部、及びファンネルプレートを備える。ファンネルプレートは、Ｂで結んでバッグを形成した筒状体Ａから作られているバッグに廃棄物を案内するために、容器１１の中央開口部に向かってテーパー付けされており、容器１１によって支持された筒状体分配ユニット１４を保護するために設けられている。蓋１２及びファンネル１３に加えて、追加のカバーデバイスを用いることもできる。
【００２６】
筒状体分配ユニット１４（バッグユニットとも呼ばれる）は、結んだバッグの形態で筒状体フィルムを分配し、従って、ユーザによって操作され、典型的には、廃棄物処理デバイス１０（すなわち、廃棄物処理デバイス１０の容器１１、蓋１２、ファンネル１３、及び閉鎖機構）とは別売りである。その取り扱いに起因して、ファンネル１３を通る廃棄物から筒状体分配ユニット１４を保護することが望まれる場合がある。筒状体分配ユニット１４は、筒状体がそこから分配される環状部品、典型的には剛性リング又は環状ケーシング（例えば、環状キャビティを備えている）を有する。
【００２７】
閉鎖機構１５は、筒状体分配ユニット１４のバッグを閉じて廃棄物処理デバイス１０内に悪臭ガスを捕捉する。閉鎖機構１５は、以下に詳細に記載されている。
【００２８】
戻り止め１６は、容器１１の外面に設けられる。例えば一杯になったバッグを切り離すために容器１１の内部にアクセスするよう戻り止め１６を押圧して容器１１の上部１１Ａから下部１１Ｂを分離することができる。図３に示すように、上部１１Ａは、枢動接合部ｌｌＣによって下部部材１１Ｂに枢動結合することができる。
【００２９】
図６及び７を参照すると、筒状体分配ユニット１４は、ほぼ環状の中空体のケーシングを有し、積み重ねた状態の、その後に分配されるための筒状フィルムＡを収容する。環状中空体は、ほぼＵ型の部分を有し、筒状フィルムはＵ型部分の底部に積み重ねられる。しかしながら、筒状体分配ユニット１４を容器１１に吊すのに適するフック手段とバッグ支持スリーブ、縁付きバッグなどのいかなる他の適当な筒状体分配ユニット１４を使用することができる。更に、中空体の外形は、正方形、楕円、円形などのいかなる適当な形状とすることができる。「環状」という表現は、中央開口部が存在することを意味する。
【００３０】
図５を参照すると、閉鎖機構１５がより詳細に示されている。閉鎖機構１５は、容器１１の最上部で筒状体分配ユニット１４を支持する支持リング５０を備える。支持リング５０は、筒状体分配ユニット１４を受け入れる環状キャビティ５１を規定する。図５に示すように、環状キャビティ５１は、Ｕ型部分を有する。
【００３１】
内側環状壁５２は支持リング５０の中央開口部を規定し、筒状体Ａがこの中央開口部を通って容器１１の内部キャビティに到達する（図６及び７）。また、支持リング５０は、環状キャビティ５１内に傾斜部分５３を有し、筒状体分配ユニット１４を支持リング５０に取り付けた際に、正しい向きに置かれるのを確実にする。図６及び７に示すように、当接面５４は、支持リング５０の半径方向内側にあり、筒状体Ａを押し潰して閉じるために設けられている。支持リング５０は、一対の隆起部５５（図５では１つだけ見ることができる）を更に備える。いかなる他の適当な構成のリング５０を使用することができる。筒状体分配ユニット１４を支持する部品５０に中央開口部が存在することを示すために、表示リングを用いる。支持リング５０は、容器１１に取り外し可能に接続されるものとして図５−７に示されている。変形例では、支持リング５０は、容器１１又はファンネル１３などの一体部分とすることができる。
【００３２】
図５−７を同時に参照すると、閉鎖機構１５は、ドア６０（別名トラップ、フラップ、チェックバルブなど）を更に備える。ドア６０は、閉鎖機構１５の可動部品である。ドア６０は、支持リング５０に対して閉位置（図６）と開位置（図７）との間で枢動可能である。開位置では、ドア６０は当接面５４から離れて、廃棄物処理中に容器１１の内部への、結果的にはバッグの閉じた端部へのアクセスを可能にする。閉位置において、ドア６０は、支持リング５０の当接面５４に向かって付勢され、ドアと当接面との間で筒状体Ｂを押し潰して、結果的にこれを密封して閉じるようになっている。
【００３３】
ドア６０は、凹形の上面６１を有する。ドア６０が図７のような開位置にある場合、凹面の代わりに平らな上面ドア６０によって規定されるであろう空間よりも、ドア６０の上面６１と当接面５４との間の空間が増える。ピボット６２はドア６０の両側に設けられており、ピボットとドアを一体成形することができる。ピボット６２は、支持リング５０の隆起部分５５（図５）と枢動係合する。ドア６０の最下端には舌部６１があり、ドア６０を閉じると（図６）、舌部６１は付勢されて当接面５４に接触する。使用時、筒状体Ａが当接面５４と舌部６１との間で押し潰されるので、実際には舌部６１は当接面５４と接触しないことに留意されたい。従って、重複する端部で十分ではあるが、当接面５４と舌部６１との間で無視できないほどの重複表面を形成するために、当接面５４及び舌部６１を合わせ面形状にすることができる。
【００３４】
１つ又はそれ以上のフック６４が（図６及び７には１つが示される）、ドア６０の底面に形成されている。フック６４は、ばね７０の自由端をドア６０に接続するために使用される。ばね７０の他端は、支持リング５０に、もしくは容器１１、カバー１２、又はファンネル１３のいかなる他の固定部品に接続される。従って、ドア６０は、１つ又は複数のばね７０によって図６の閉位置に付勢される。
【００３５】
ピボット６２、従ってドア６０のピボット軸は、筒状体分配ユニット１４のケーシングの最下部レベルＣ１（すなわち、図６及び７のケーシングの下側）よりも高い位置にあることが分かる。従って、ドア６０の一部だけが、廃棄物を受け入れる容器１１の内部キャビティに延びる。ドア６０のピボット軸が筒状体分配ユニット１４の下部よりも垂直方向に高い位置にあるので、結果的に、ピボット軸が筒状体分配ユニット１４よりも実質的に低い位置にある従来技術の閉鎖機構に比べて、この閉鎖機構１５は容器１１の廃棄物処理空間をより少なく占める。図６に示すように、ドア６０の閉位置において、ドア６０の大部分は、高さレベルＣ１よりも高い。ドア６０の開位置において、ドア６０の半分以上が高さレベルＣ１よりも高い。図６及び７において、ピボット６２のピボット軸は、筒状体分配ユニット１４の最上部の高さレベルＣ２よりも下側にある。高さレベルＣ１とＣ２との間に配置することで、容器１１の廃棄物処理空間の大きさは、閉鎖機構１５の占有する容積に対して最適化される。しかしながら、ピボット６２のピボット軸は、高さレベルＣ２より上側に配置することもできる。
【００３６】
図６、７、及び８を参照すると、ピボット６２は、筒状体分配ユニット１４の内径の内側に又は筒状体分配ユニット１４の鉛直突出部の内側に配置されるように、すなわち、図６及び７にＤとして示される線の内部に配置されるように示されている。
【００３７】
図８を参照すると、ドア６０は、例えば円柱の切除部であり、湾曲して示される。ドア６０の湾曲部は、上方に向いた凹面を形成するよう向けられている。従って、図６及び７に示すように、ドア６０が開いた場合に、ドア６０の湾曲部は筒状体分配ユニット１４の湾曲部に合致するので、筒状体分配ユニット１４の開口内でドア６０によって占有される空間は最小になる。１つの実施例において、図８に示すように、ドア６０が開いた場合、筒状体分配ユニット１４及びドア６０の湾曲部の各半径中心は一致するか又はほぼ一致する（互いに近接する）。筒状体分配ユニット１４の内周とドア６０と間の隙間は比較的小さい。湾曲部を合致させて、ドア６０の占める空間を最小化することで、バッグＡに廃棄する際に、より大きな物体がより容易に開口部を通過することができる。換言すれば、ドア６０の湾曲部は、ユニット１４の中央開口部の曲率半径と同じ側に半径中心を有し、ユニット１４の中央開口部内に位置するのがよい。
【図１】
0006286370.tif 000002
【図２】
0006286370.tif 000003
【図３】
0006286370.tif 000004
【図４】
0006286370.tif 000005
【図５】
0006286370.tif 000006
【図６】
0006286370.tif 000007
【図７】
0006286370.tif 000008
【図８】
0006286370.tif 000009